(57)【要約】【課題】燃料カットリカバリ運転時のトルクショックを抑制する。【解決手段】本発明は、各気筒内に直接燃料を噴射する燃料噴射装置と、点火装置と、酸素ストレージ機能を有する排気浄化触媒と、を備えるエンジンのトルクショックを抑制する制御装置であって、燃料カット運転から燃料カットリカバリ運転へ移行するときに、空燃比をリッチにして排気浄化触媒に吸収された酸素を放出するリッチスパイク要求が有るか否かを判定するリッチスパイク要求判定手段と、リッチスパイク要求があるときは、燃料噴射を２度に分割する燃料噴射分割手段Ｓ８３と、燃料噴射分割手段によって分割された燃料噴射の１度目の燃料噴射を、少なくとも点火装置周りに混合気が形成されるタイミングで噴射し、２度目の燃料噴射を、点火装置周りから外れた位置に混合気が形成されるタイミングで噴射する燃料噴射手段Ｓ８４と、を備えることを特徴とする。【選択図】図７
2010007637.tif 000002
【特許請求の範囲】
【請求項１】
各気筒内に直接燃料を噴射する燃料噴射装置と、
前記燃料噴射装置から噴射された燃料と空気との混合気を着火する点火装置と、
排気通路に設けられ、酸素ストレージ機能を有する排気浄化触媒と、
を備えるエンジンのトルクショックを抑制する制御装置であって、
前記燃料噴射装置の燃料噴射を停止する燃料カット運転から燃料噴射を再開する燃料カットリカバリ運転へ移行するときに、空燃比をリッチにして前記排気浄化触媒に吸収された酸素を放出するリッチスパイク要求が有るか否かを判定するリッチスパイク要求判定手段と、
前記リッチスパイク要求があるときは、燃料噴射を２度に分割する燃料噴射分割手段と、
前記燃料噴射分割手段によって分割された燃料噴射の１度目の燃料噴射を、少なくとも前記点火装置周りに混合気が形成されるタイミングで噴射し、２度目の燃料噴射を、前記点火装置周りから外れた位置に混合気が形成されるタイミングで噴射する燃料噴射手段と、
を備えることを特徴とするエンジンのトルクショック抑制制御装置。
【請求項２】
前記燃料カットリカバリ運転が開始されてからの各気筒のサイクル数を検出するサイクル数検出手段を備え、
前記１度目の燃料噴射によって噴射される燃料量は、前記サイクル数が所定のサイクル数より大きくなるまでは、前記サイクル数が小さいときほど少ない
ことを特徴とする請求項１に記載のエンジンのトルクショック抑制制御装置。
【請求項３】
前記燃料噴射装置から噴射された燃料を前記点火装置周りに誘導するジャンプキャビティを冠面に有するピストンを備え、
前記サイクル数が前記所定のサイクル数より大きくなった後は、前記２度目の燃料噴射を、噴射燃料の後半の一部が前記ジャンキャビティに入るタイミングで噴射する
ことを特徴とする請求項２に記載のエンジンのトルクショック抑制制御装置。
【請求項４】
前記リッチスパイク要求判定手段は、前記燃料カット運転の実施時間が所定時間より長ければ、リッチスパイク要求有りと判定する
ことを特徴とする請求項１から３までのいずれか１つに記載のエンジンのトルクショック抑制制御装置。
【発明の詳細な説明】
【技術分野】
【０００１】
本発明はエンジンのトルクショック抑制制御装置に関する。
【背景技術】
【０００２】
従来から、各気筒への燃料噴射を停止する燃料カット運転から燃料噴射を再開する燃料カットリカバリ運転へ移行するときに、燃料を余分に噴射するリッチスパイクを実施するものがある（特許文献１参照）。これにより、空燃比をリッチにして、燃料カット運転中に三元触媒が余分に吸収した酸素を放出させることができる。そのため、排気エミッションの向上を図ることができる。
【特許文献１】特開２００５−１０５９６３号公報
【発明の開示】
【発明が解決しようとする課題】
【０００３】
しかしながら、前述した従来のものでは、リッチスパイク時に燃料が余分に噴射されるため、燃料カットリカバリ運転時にトルクショックが発生し、運転性能が悪化するという問題点があった。
【０００４】
本発明はこのような従来の問題点に着目してなされたものであり、排気エミッションを悪化させることなく、燃料カットリカバリ運転時のトルクショックを抑制することを目的とする。
【課題を解決するための手段】
【０００５】
本発明は、以下のような解決手段によって前記課題を解決する。なお、理解を容易にするために本発明の実施形態に対応する符号を付するが、これに限定されるものではない。
【０００６】
本発明は、各気筒内に直接燃料を噴射する燃料噴射装置（２０）と、前記燃料噴射装置（２０）から噴射された燃料と空気との混合気を着火する点火装置（１０）と、排気通路（４０）に設けられ、酸素ストレージ機能を有する排気浄化触媒（４２）と、を備えるエンジン（１）のトルクショックを抑制する制御装置であって、前記燃料噴射装置（２０）の燃料噴射を停止する燃料カット運転から燃料噴射を再開する燃料カットリカバリ運転へ移行するときに、空燃比をリッチにして前記排気浄化触媒（４２）に吸収された酸素を放出するリッチスパイク要求が有るか否かを判定するリッチスパイク要求判定手段（Ｓ５）と、前記リッチスパイク要求があるときは、燃料噴射を２度に分割する燃料噴射分割手段（Ｓ８３）と、前記燃料噴射分割手段によって分割された燃料噴射の１度目の燃料噴射を、少なくとも前記点火装置周りに混合気が形成されるタイミングで噴射し、２度目の燃料噴射を、前記点火装置周りから外れた位置に混合気が形成されるタイミングで噴射する燃料噴射手段（Ｓ８４）と、を備えることを特徴とする。
【発明の効果】
【０００７】
本発明によれば、燃料カットリカバリ運転に移行した場合に、リッチスパイク要求があるときは、燃料噴射を２回に分けて実施する。そして、１度目の燃料噴射を少なくとも点火装置周りに混合気が形成されるタイミングで噴射し、２度目の燃料噴射を点火装置周りから外れた位置に混合気が形成されるタイミングで噴射する。
【０００８】
そのため、２度目の燃料噴射によって噴射された燃料は、燃焼に寄与しないので、リッチスパイク量を増量しても、トルクショックを抑制することができる。またリッチスパイク量を増量することができるので、排気エミッションを悪化させることもない。
【発明を実施するための最良の形態】
【０００９】
以下、図面等を参照して本発明の実施形態について説明する。
【００１０】
図１は、本発明の一実施形態による筒内直接燃料噴射式火花点火エンジン（以下「エンジン」という）１の制御装置の全体システム図である。
【００１１】
エンジン１は、直列４気筒エンジンであって、点火装置１０と、燃料噴射装置２０と、吸気通路３０と、排気通路４０と、を備える。
【００１２】
点火装置１０は、各気筒内で圧縮された混合気を着火する。
【００１３】
燃料噴射装置２０は、各気筒内に高圧燃料を直接噴射する。
【００１４】
吸気通路３０は、各気筒に空気を供給するための通路である。吸気通路３０は、エアフローセンサ３１と、電子制御スロットル３２と、吸気マニホールド３４と、を備える。
【００１５】
エアフローセンサ３１は、エンジン１の吸入吸気量を検出する。
【００１６】
電子制御スロットル３２は、後述するコントローラ５０からの制御信号でスロットル弁３３を駆動し、運転状態に応じたスロットル開度に制御する。
【００１７】
吸気マニホールド３４は、エンジン１の吸気ポートに接続され、各気筒に空気を均等に分配する。
【００１８】
排気通路４０は、各気筒内で発生する排気（燃焼ガスや空気など）を外部へと排出するための通路である。排気通路４０は、排気マニホールド４１と、三元触媒４２と、を備える。
【００１９】
排気マニホールド４１は、エンジン１の排気ポートに接続され、各気筒から排出された排気をまとめる。
【００２０】
三元触媒４２は、理論空燃比（ストイキ）での運転時に、排気中の炭化水素（ＨＣ）、一酸化炭素（ＣＯ）及び窒素化合物（ＮＯｘ）を同時に効率よく浄化する。三元触媒４２は、酸素ストレージ機能を有しており、三元触媒４２に流入する排気の空燃比がリーンのときは排気中の酸素を吸収する。一方、三元触媒４２に流入する排気の空燃比がリッチになると吸収した酸素を放出する。これにより、三元触媒４２に流入する排気の空燃比がリーン側又はリッチ側にずれていたとしても、三元触媒４２の内部雰囲気は実質的に理論空燃比に維持される。
【００２１】
コントローラ５０は、中央演算装置（ＣＰＵ）、読み出し専用メモリ（ＲＯＭ）、ランダムアクセスメモリ（ＲＡＭ）、及び入出力インタフェース（Ｉ／Ｏインタフェース）を備えたマイクロコンピュータで構成される。コントローラ５０は、各種センサからの入力信号に基づいて、燃料噴射装置２０から噴射される燃料の量や噴射時期などを制御する。
【００２２】
ここで、本実施形態では、エンジン１の運転状態が、例えば減速時などの所定の運転状態になると、各気筒への燃料噴射を停止する燃料カット運転を実施して燃費の向上を図っている。
【００２３】
しかしながら、燃料カット運転中は、三元触媒４２に空気が流入し続けることになるため、三元触媒４２は酸素を吸収し続けることになる。三元触媒４２に吸収されている酸素が多くなりすぎると、三元触媒４２は内部雰囲気を理論空燃比に維持できなくなるので、浄化性能が低下してしまう。
【００２４】
そのため、燃料カット運転を終了して燃料噴射を再開した直後のエミッションが悪化してしまうという問題点があった。
【００２５】
そこで、従来から各気筒への燃料噴射を再開する燃料カットリカバリ運転時に、燃料噴射量を増量補正して、排気の空燃比を一時的にリッチにするリッチスパイクを実施していた。これにより、三元触媒４２に余分に吸収されていた酸素を強制的に放出し、エミッションの悪化を抑制していた。
【００２６】
しかしながら、燃料カットリカバリ運転時に一時的にリッチスパイクを実施すると、燃料が増量されることからエンジンの出力トルクも一時的に増加する。そのため、燃料カットリカバリ運転時にトルクショックが発生し、運転性能が悪化するという問題点があった。
【００２７】
そこで、本実施形態では、燃料カットリカバリ運転時にリッチスパイクを実施するときは、燃料の２度噴きを実施し、リッチスパイクのための増量分を燃焼に寄与しないタイミングで噴射する。つまり、１度目の燃料噴射を、燃焼室全体に均質な混合気が形成されるタイミングで噴射し、１度目の燃料噴射によって形成された混合気を燃焼に寄与させる。そして、２度目の燃料噴射を、点火装置周りから外れた位置に混合気が形成されるタイミングで噴射し、２度目の燃料噴射によって形成された混合気が燃焼に寄与しないようにする。
【００２８】
これにより、２度目の燃料噴射によって形成された混合気は燃焼に寄与しないため、２度目の噴射量、すなわちリッチスパイク量（燃料噴射量の増量補正量）を大きくしても、燃料カットリカバリ運転時にトルクショックが発生するのを抑制できる。
【００２９】
また、リッチスパイク量を大きくすることができるので、三元触媒４２に余分に吸収されていた酸素を素早く放出でき、エミッションの悪化を抑制できる。
【００３０】
図２は、燃料カットリカバリ運転時にリッチスパイクを実施するときに燃焼室１１に形成される混合気の状態を示す図である。
【００３１】
図２に示すように、１度目の燃料噴射によって、燃焼室１１の全体に形成される第１混合気１０１を形成する。そして、２度目の燃料噴射によって、点火装置１０の周りから外れた位置に第２混合気１０２を形成する。
【００３２】
なお、図２に示すように、ピストン１２の冠面には、ジャンプキャビティ１２ａが形成される。ジャンプキャビティ１２ａは、ジャンプキャビティ１２ａに向けて噴射された燃料を、点火装置１０の周りに誘導する。
【００３３】
図３は、燃料カットリカバリ運転時にリッチスパイクを実施するときの、１度目の燃料噴射ＩＴ１のタイミングと、２度目の燃料噴射ＩＴ２のタイミングと、を示した図である。
【００３４】
前述したように、本実施形態では、１度目の燃料噴射ＩＴ１によって、燃焼に寄与する均質混合気を燃焼室全体に形成する必要がある。そのため、１度目の燃料噴射ＩＴ１は、吸気弁が開いている時期に噴射される。本実施形態では、図３に示すように、吸気行程から圧縮行程の前半にかけての適当な時期に噴射する。
【００３５】
一方、２度目の燃料噴射ＩＴ２によって、燃焼に寄与しないリッチスパイク用の混合気を、点火装置１０の周りから外れた位置に形成する必要がある。そのため、２度目の燃料噴射ＩＴ２は、燃料噴射装置２０から噴射された燃料が、ピストン冠面に形成されたジャンプキャビティ１２ａに入らない時期に噴射される。本実施形態では、図３に示すように、燃料噴射装置２０から噴射された燃料が、ピストン冠面に形成されたジャンプキャビティ１２ａに入る圧縮行程後半より前の時期に噴射される。
【００３６】
ところで、燃料カットリカバリ運転が開始されてからの最初の数サイクルは、サイクルごとに気筒内に残留している筒内残ガス量が異なる。この点について図４を参照して説明する。
【００３７】
図４は、燃料カットリカバリ運転が開始されてから数サイクルが経過するまでの各気筒の気筒内に残留する筒内残ガス量を示した図である。なお、吸気、圧縮、膨張、排気の４行程を１サイクルとしている。また、点火順序は＃１気筒、＃４気筒、＃２気筒、＃３気筒の順になっている。
【００３８】
図４に示すように、燃料カットリカバリ運転が開始された直後の１サイクル目は、各気筒内の残ガス量はほとんどゼロである。これは、燃料カット運転中に気筒内を通過する空気によって、残ガスが掃気されるためである。
【００３９】
２サイクル目になると、＃１気筒では、１サイクル目で生じた自気筒（＃１気筒）の排気の一部が残ガスとして気筒内に残留するため、その残ガスが筒内残ガス量となる。
【００４０】
一方で、＃４気筒では、１サイクル目で生じた自気筒（＃４気筒）の排気の一部が残ガスとして残留するとともに、他気筒（＃１気筒）で生じた排気の一部が排気マニホールドを介して流入してくる。そのため、自気筒（＃４気筒）の残ガスと、排気マニホールドを介して流入してきた他気筒（＃１気筒）の排気と、の合計が筒内残ガス量となる。
【００４１】
＃２気筒では、同じ原理で自気筒（＃２気筒）の残ガスと、排気マニホールドを介して流入してきた他気筒（＃１気筒及び＃４気筒）の排気と、の合計が筒内残ガス量となる。同じく＃３気筒では、自気筒（＃２気筒）の残ガスと、排気マニホールドを介して流入してきた他気筒（＃１気筒、＃４気筒及び＃２気筒）の排気と、の合計が筒内残ガス量となる。
【００４２】
したがって、２サイクル目では点火順序が後の気筒の筒内残ガス量の方が、点火順序が先の気筒の筒内残ガス量よりも多くなる。
【００４３】
３サイクル目以降になると、各気筒の筒内残ガス量はほぼ一定量となる。
【００４４】
このように、燃料カットリカバリ運転が開始されてからの最初の数サイクルは、サイクルごとに気筒内に残留している筒内残ガス量が異なる。したがって、各サイクルとも同じ量の燃料を噴射すると、最初の数サイクルのエンジンの出力トルクが変動してトルクショックが発生し、運転性能が悪化する。
【００４５】
そこで本実施形態では、最初の数サイクルは燃焼に寄与する１度目の燃料噴射ＩＴ１の噴射量を減らす。そして、最初の数サイクルを経過した後は、燃焼に寄与する混合気を増やすため２度目の燃料噴射ＩＴ２の時期を遅角させる。
【００４６】
図５（Ａ）は、燃料カットリカバリ運転時にリッチスパイクを実施するときの、１度目の燃料噴射ＩＴ１及び２度目の燃料噴射ＩＴ２の噴射量を、サイクルごとに示した図である。図５（Ｂ）は、燃料カットリカバリ運転時にリッチスパイクを実施するときの、１度目の燃料噴射ＩＴ１及び２度目の燃料噴射ＩＴ２の噴射時期を、サイクルごとに示した図である。
【００４７】
図５（Ａ）に示すように、筒内残ガス量の少ない１サイクル目の燃料噴射ＩＴ１を最も少なくし、所定のサイクル数に達するまでは、筒内残ガス量が増加していくに従って１度目の燃料噴射ＩＴ１の噴射量を増加させる。一方で、２度目の燃料噴射ＩＴ２は、サイクル数に関係なく、要求されるリッチスパイク量を噴射する。
【００４８】
図５（Ｂ）に示すように、１度目の燃料噴射ＩＴ１の噴射時期は、運転状態に応じて設定される。一方で、２度目の燃料噴射ＩＴ２の噴射時期は、筒内残ガス量が増加していくに従って遅角させて、２度目の燃料噴射ＩＴ２の後半の燃料噴射がジャンプキャビティに入るようする。これにより、２度目の燃料噴射ＩＴ２の一部を燃焼に寄与させることができるので、燃焼速度を速めることができる。
【００４９】
以下では、上述してきた燃料カットリカバリ運転時のトルクショック抑制制御について説明する。
【００５０】
図６は、本実施形態による燃料カットリカバリ運転時のトルクショック抑制制御について説明するフローチャートである。コントローラ５０は、このルーチンを所定の演算周期（例えば１０ｍｓ）で繰り返し実行する。
【００５１】
ステップＳ１において、コントローラ５０は、燃料カットリカバリフラグが１にセットされているか否かを判定する。燃料カットリカバリフラグについては後述する（ステップＳ４）。コントローラ５０は、燃料カットリカバリフラグが１にセットされていればステップＳ５に処理を移行し、０にセットされていればステップＳ２に処理を移行する。
【００５２】
ステップＳ２において、コントローラ５０は、燃料カット運転中か否かを判定する。コントローラ５０は、燃料カット運転中であればステップＳ３に処理を移行し、そうでなければ今回の処理を終了する。
【００５３】
ステップＳ３において、コントローラ５０は、エンジンの運転状態に応じて燃料カットリカバリ運転を開始するか否かを判定する。コントローラ５０は、燃料カットリカバリ運転を開始するときはステップＳ４に処理を移行し、燃料カット運転を続けるときは今回の処理を終了する。
【００５４】
ステップＳ４において、コントローラ５０は、燃料カットリカバリフラグを１にセットする。燃料カットリカバリフラグは、燃料カットリカバリ運転をしている間、１にセットされるフラグである。
【００５５】
ステップＳ５において、コントローラ５０は、リッチスパイクの要求があるか否かを判定する。具体的には、燃料がカットされていた時間（燃料カット運転を行っていた時間）に基づいて判定する。燃料カットの時間が短ければ、三元触媒４２に吸収される酸素量は少なく、リッチスパイクを実施する必要がないためである。コントローラ５０は、リッチスパイクの要求があるときはステップＳ８に処理を移行し、要求がないときはステップＳ６に処理を移行する。
【００５６】
ステップＳ６において、コントローラ５０は、通常の燃焼制御を実施する。具体的には、低回転低負荷時に成層燃焼を実施し、高回転高負荷時に均質燃焼を実施する。
【００５７】
なお、ここでいう成層燃焼とは、圧縮行程中に燃料を１度だけ噴射し、点火装置１０の近傍に燃料を偏在させた状態で混合気を圧縮上死点前に点火する希薄燃焼のことをいう。均質燃焼とは、吸気行程中に燃料を１度だけ噴射し、空燃比が均一の混合気を燃焼室全体に形成してから点火する燃焼のことをいう。
【００５８】
ステップＳ７において、コントローラ５０は、燃料カットリカバリフラグを０にセットする。
【００５９】
ステップＳ８において、コントローラ５０は、トルクショック抑制処理を実施する。トルクショック抑制処理の具体的な内容については、図７を参照して後述する。
【００６０】
図７は、トルクショック抑制処理について説明するフローチャートである。
【００６１】
ステップＳ８１において、コントローラ５０は、燃料カットリカバリ運転が開始されてから何サイクル目かを算出する。
【００６２】
ステップＳ８２において、コントローラ５０は、燃料カットリカバリ運転が開始されてからのサイクル数と運転状態とに応じて目標当量比を算出し、その目標当量比に基づいて燃料噴射量ＩＴを算出する。
【００６３】
ステップＳ８３において、コントローラ５０は、燃料噴射量ＩＴを、１度目に噴射する燃料噴射量ＩＴ１と、２度目に噴射する燃料噴射量ＩＴ２と、に分割する。
【００６４】
ステップＳ８４において、コントローラ５０は、１度目の燃料噴射の時期と、２度目の燃料噴射の時期を設定する。
【００６５】
ステップＳ８５において、コントローラ５０は、点火時期を設定する。
【００６６】
図８は、燃料カットリカバリ運転時のトルクショック抑制制御の動作について説明するタイムチャートである。なお、フローチャートとの対応を明確にするため、フローチャートのステップ番号を併記して説明する。
【００６７】
時刻ｔ１で、燃料カット運転から燃料カットリカバリ運転へ移行すると（Ｓ１でＮｏ，Ｓ２でＹｅｓ,Ｓ３でＹｅｓ）、燃料カットリカバリフラグが１にセットされ（図８（Ｂ）；Ｓ４）、コントローラ５０はリッチスパイクの要求があるか否かを判定する（Ｓ１でＹｅｓ，Ｓ５）。ここではリッチスパイク要求があるので（図８（Ｃ）；Ｓ５でＹｅｓ）、コントローラ５０は、トルクショック抑制処理を実行する（Ｓ８）。
【００６８】
トルクショック抑制処理が実行されると、コントローラ５０は、各気筒の燃焼サイクルが、燃料カットリカバリ運転が開始されてから何サイクル目かを算出する（Ｓ８１）。そして、算出したサイクル数と運転状態に応じて、燃料噴射量ＩＴを算出する（図８（Ｄ）；Ｓ８２）。その後、算出した燃料噴射量ＩＴを、１度目に噴射する燃料噴射量ＩＴ１と、２度目に噴射する燃料噴射量ＩＴ２と、に分割する（図８（Ｅ）（Ｆ）；Ｓ８３）。そして、算出したサイクル数と運転状態に応じて、１度目の燃料噴射の時期と、２度目の燃料噴射の時期を設定する（図８（Ｇ）；Ｓ８４）。
【００６９】
時刻ｔ２で、リッチスパイク要求がなくなると（図８（Ｃ）；Ｓ５でＮｏ）、燃料カットリカバリフラグが０にセットされる（図８（Ｂ）；Ｓ７）。
【００７０】
以上説明した本実施形態によれば、燃料カット運転から燃料リカバリ運転へ移行する場合に、リッチスパイク要求があるときは、燃料を２度に分割して噴射し、１度目の燃料噴射で燃焼に寄与する均質混合気を燃焼室全体に形成する。そして、２度目の燃料噴射によって、燃焼に寄与しないリッチスパイク用の混合気を、点火装置周りから外れた位置に形成する。
【００７１】
これにより、２度目の燃料噴射によって形成された混合気は燃焼に寄与しないため、リッチスパイク量を増量しても、燃料カットリカバリ運転時にトルクショックが発生するのを抑制できる。
【００７２】
また、リッチスパイク量を増量することができるので、三元触媒４２に余分に吸収されていた酸素を素早く放出でき、エミッションの悪化を抑制できる。
【００７３】
さらに、２度目の燃料噴射によって形成された混合気は、点火装置周りから外れた位置に形成される。そのため、点火装置周りの混合気が過剰にリッチになることがない。したがって、燃料が気化されずに失火することを抑制できる。
【００７４】
また、本実施形態では、燃料カットリカバリ運転が開始されてからの最初の数サイクルは、サイクルごとに気筒内に残留している筒内残ガス量が異なるので、筒内残ガス量に応が少ないサイクルのときほど１度目の燃料噴射量が少なくなるようにした。
【００７５】
これにより、より確実に、燃料カットリカバリ運転時にトルクショックが発生するのを抑制できる。
【００７６】
また、本実施形態では、気筒内に残留している筒内残ガス量がほぼ一定になった後の燃料カット運転時には、２度目の燃料噴射の後半の燃料噴射がジャンプキャビティ１２ａに入るようにした。
【００７７】
これにより、２度目の燃料噴射の一部を燃焼に寄与させることができるので、燃焼速度を速めることができる。したがって、燃焼を安定させることができる。
【００７８】
なお、本発明は上記の実施形態に限定されずに、その技術的な思想の範囲内において種々の変更がなしうることは明白である。
【００７９】
例えば、本実施形態では直列４気筒エンジンを例に説明したが、気筒数はこれに限られるものではなく、また、直列、Ｖ型又は水平対向エンジンなど各種エンジンに適用できる。
【図面の簡単な説明】
【００８０】
【図１】筒内直接燃料噴射式火花点火エンジンの制御装置の全体システム図である。
【図２】燃料カットリカバリ運転時にリッチスパイクを実施するときに燃焼室に形成される混合気の状態を示す図である。
【図３】燃料カットリカバリ時にリッチスパイクを実施するときの、１度目の燃料噴射のタイミングと、２度目の燃料噴射のタイミングと、を示した図である。
【図４】燃料カットリカバリ運転が開始されてから数サイクルが経過するまでの各気筒の気筒内に残留する筒内残ガス量を示した図である。
【図５】燃料カットリカバリ運転時にリッチスパイクを実施するときの、１度目の燃料噴射及び２度目の燃料噴射の噴射量及び噴射時期を、サイクルごとに示した図である。
【図６】燃料カットリカバリ運転時のトルクショック抑制制御について説明するフローチャートである。
【図７】トルクショック抑制処理について説明するフローチャートである。
【図８】燃料カットリカバリ運転時のトルクショック抑制制御の動作について説明するタイムチャートである。
【符号の説明】
【００８１】
１    筒内直接燃料噴射式火花点火エンジン（エンジン）
１０    点火装置
１２    ピストン
１２ａ  ジャンプキャビティ
２０    燃料噴射装置
４０    排気通路
４２    三元触媒（排気浄化触媒）
Ｓ５    リッチスパイク要求判定手段
Ｓ８１  サイクル数検出手段
Ｓ８３  燃料噴射分割手段
Ｓ８４  燃料噴射手段
【図１】
2010007637.tif 000003
【図２】
2010007637.tif 000004
【図３】
2010007637.tif 000005
【図５】
2010007637.tif 000006
【図６】
2010007637.tif 000007
【図７】
2010007637.tif 000008
【図８】
2010007637.tif 000009
【図４】
2010007637.tif 000010